(57)【要約】【課題】本発明は、床下を乾燥する乾燥機に関するもので、乾燥機能のみでは、シロアリ等の害虫を根絶できなかった。【解決手段】床下に供給する空気に殺虫剤１１ａを混合することで、シロアリ等の害虫を根絶するものである。【選択図】　図１
2004008151.tif 000002
【特許請求の範囲】
【請求項１】
屋外の空気を屋内に導く風路と風路に空気を送風する送風手段と送風手段を制御する制御手段とを有し、風路を通過する空気に薬剤を混合する構成とした乾燥機。
【請求項２】
薬剤は、殺虫剤、忌避剤、防カビ剤、芳香剤のいずれかである請求項１に記載の乾燥機。
【請求項３】
制御手段に年間タイマを有し特定の期間のみ空気に薬剤を混合する構成とした請求項１または２に記載の乾燥機。
【請求項４】
屋外の湿度を検知する湿度センサを有し、湿度センサの信号により空気に薬剤を混合する構成とした請求項１〜３のいずれか１項に記載の乾燥機。
【発明の詳細な説明】
【０００１】
【発明の属する技術分野】
本発明は、送風手段であるファンの送気により殺虫剤を床下等の屋内に散布することにより、床下のダニやシロアリ等の害虫を駆除するようにした乾燥機に関するものである。
【０００２】
【従来の技術】
従来から、湿気の多い床下等の屋内にダニやシロアリ等の害虫あるいはカビ等が発生するのを防止するものとして、床下の通風口より除湿された空気を屋内に入れるようにした乾燥機が用いられている。この種の乾燥機としては、例えば、特開２０００−３２０９６４公報に記載されているようなものがあった。図２は、従来例を示す。図２において、１は外気を取り入れる為の外気取り入れ口、２は外気取り入れ口１より空気を取り入れ送風する為の送風手段であるところのファン、３は空気の流れる風路、４は風路３内を流れる空気の湿度を取り除く吸着材、５は風路３を形成する本体ケース、６は風路３を形成する仕切り板、７は家屋の側壁、８は家屋の床、９は側壁７に開けられ床下に外気を取り込むための通風口、１０はファン２やその他の電気部品（図示せず）を制御する為の制御器である。尚矢印Ａは空気の流れを示す。
【０００３】
以上のような構成において、外気は外気取り入れ口１よりファン２によって取り入れられ風路３を通っていく途中で吸着材４により除湿され、この除湿された空気（外気）が、通風口９より床下に供給されて床下を乾燥させる。
【０００４】
【発明が解決しようとする課題】
しかしながら、前記従来の乾燥機では、床下を乾燥させることでダニやシロアリの繁殖をある程度抑制することができるものの、すでに繁殖しているダニやシロアリなどの害虫を根絶することは、除湿された空気を床下に供給するだけでは不可能であり、不十分であるという課題を有していた。
【０００５】
本発明は、前記従来の課題を解決するもので、すでに繁殖しているダニやシロアリなどの害虫を根絶させることが可能な乾燥機の提供を目的としている。
【０００６】
【課題を解決するための手段】
前記従来の課題を解決するために、本発明の乾燥機は、除湿された空気に殺虫剤（薬剤）を混合し、通風口より床下に供給することによりダニやシロアリなどの害虫を根絶することができる。
【０００７】
【発明の実施の形態】
請求項１に記載の発明は、屋外の空気を屋内に導く風路と風路に空気を送風する送風手段と送風手段を制御する制御手段とを有し、風路を通過する空気に薬剤を混合する構成とするもので、床下の乾燥のみならず薬剤により、害虫の駆除を行うことができる。
【０００８】
請求項２に記載の発明は、薬剤として殺虫剤、忌避剤、防カビ剤、芳香剤のいずれかを用いたもので、薬剤に殺虫剤を用いれば、屋内の床下に殺虫剤の混合した空気を供給することが出来るので、ダニやシロアリなどの害虫を根絶することができる。また薬剤に忌避剤を用いれば、屋内の床下に忌避剤の混合した空気を供給することが出来るので、ダニやシロアリなどの害虫が屋内の床下より外へ出て行くので、殺虫剤と違い害虫の死骸が屋内に残らず清潔である。また薬剤に防カビ剤を用いれば、屋内の床下に防カビ剤の混合した空気を供給することが出来るので、カビの発生を防止できる。さらに、芳香剤を混合すると、屋内の床下より屋内全体で好みの香りを楽しむ事ができる。
【０００９】
請求項３に記載の発明は、制御手段に年間タイマを有し特定の期間のみ空気に薬剤を混合する構成としたので薬剤が有効な時間または時期に空気に混合して散布できるため、薬剤の使用量を節約できる。また薬剤の副作用を最小限にとどめる事ができる。また季節に応じて芳香剤の量や種類を調節できるようにすればより効果的に香りを楽しむことができる。
【００１０】
請求項４に記載の発明は、屋外の湿度を検知する湿度センサを有し、湿度センサの信号により空気に薬剤を混合する構成としたので、湿度に応じて薬剤の量や種類を調節できるために、湿度の高いシロアリ等の害虫の活動時期に集中して殺虫剤等の薬剤をを空気に混合して散布できるため、薬剤の使用量を節約できる。また殺虫剤等の薬剤の副作用を最小限にとどめる事ができる。また季節や天気に応じて芳香剤の量や種類を調節できる為より効果的に香りを楽しむことができる。
【００１１】
【実施例】
以下、本発明の実施例について、図１を参照しながら説明する。
【００１２】
図１は本発明の実施例の乾燥機が家の床下の通風口に取り付けられた状態の縦断面図構成図を示している。
【００１３】
なお従来例と同一符号のものは、同一構造を有し説明は、省略する。
【００１４】
（実施例１）
図１において、１１は、殺虫剤ボンベであり中には加圧された殺虫剤１１ａが収められている。１２は、弁であり殺虫剤ボンベ１１内の殺虫剤１１ａを制御器１０の信号により風路３へ排出し空気と混合する。１３は、殺虫剤ボンベ１１を交換するための蓋、１４は、外気の湿度を検知するための湿度センサである。なお、制御器１０は、年間カレンダータイマの機能を有しており所定の月日、時間に弁１２を開閉できるようになっている。
【００１５】
以上のように構成された乾燥機について、以下その作用を説明する。年間カレンダータイマの機能を持つ制御器１０は、所定の時期に所定の時間弁１２を開き外気取り入れ口１よりファン２によって取り込まれ、吸湿材４により除湿された空気に殺虫剤ボンベ１１内の殺虫剤１１ａを混合する。殺虫剤の混合された空気は、通風口９を通じて屋内の床下に供給され、床下のシロアリ等の害虫を根絶する。また殺虫剤１１ａは、人体に対して無害ではない為出来るだけ少ない量でシロアリ等の害虫を駆除できることが望ましい。特にシロアリについて言及すれば、ヤマトシロアリは、４月から５月の昼間にかけて、イエシロアリは、６月から７月の夕方から夜にかけて新たな巣分かれが行われるので、この時期に殺虫剤を屋内の床下に散布すれば新たなシロアリに営巣される可能性がなくなるとともに、最小限の薬剤の量で、シロアリの営巣を防止できる。
【００１６】
また、殺虫剤の代わりに防カビ剤を用い梅雨時に集中的に床下に散布すれば、床下のカビの繁殖を最小限の薬剤の量で防止できる。さらに殺虫剤の代わりに芳香剤を用いれば、好みの時期にまた時間に香りを屋内全体で楽しむことができる。　また、本実施例では外気取り入れ口から取り入れられた空気の湿度を感知する湿度センサ１４を有しており、湿度センサ１４によりシロアリの活動しやすい高湿度を検知すると、制御器１０は、弁１２を開き外気取り入れ口１よりファン２によって取り込まれ、吸湿材４により除湿された空気に殺虫剤ボンベ１１内の殺虫剤１１ａを混合するようにしている。殺虫剤の混合された空気は、通風口９を通じて屋内の床下に供給され、高湿度のシロアリの活動時期に集中して殺虫剤を床下に散布して最小限の殺虫剤の量でシロアリの被害を防止でき出来人体に対する副作用も最小限にとどめることが出来る。
【００１７】
また、殺虫剤の代わりに防カビ剤を用いれば高湿度のカビがもっとも繁殖しやすい高湿度の時期に効率的に防カビ剤を散布でき防カビ剤の量も少なく出来人体に対する副作用も最小限にとどめることが出来る。
【００１８】
更に、殺虫剤の代わりに芳香剤を湿度に応じて床下に散布するようにすれば、天気に応じた香りを楽しむことができる。
【００１９】
なお、殺虫剤は、加圧ボンベで供給することとしたが、粉末を散布してもよく、また薬剤を染み込ませたシートを風路３の途中に位置させ自然蒸発で空気に混合しても良い。
【００２０】
【発明の効果】
以上のように、本発明によれば、シロアリ等の害虫を根絶できる乾燥機を提供できる。
【図面の簡単な説明】
【図１】本発明の実施例の乾燥機の縦断面構成図
【図２】従来の乾燥機の縦断面構成図
【符号の説明】
２　ファン（送風手段）
３　風路
１０　制御器（制御手段）
１１ａ　殺虫剤（薬剤）
１４　湿度センサ
【図１】
2004008151.tif 000003
【図２】
2004008151.tif 000004